(57)【要約】【課題】  可撓性を備える緩衝体の表面に化粧部を形成することによって、この上に立体的に奥行きのある貴金属、アクセサリー等の物品を豪華に収納できる立体額装縁を提供することを目的とする。【解決手段】  本体枠３の上方に、この本体枠３に囲まれるように展示窓１が形成されるとともに、前記本体枠３の下方に基板２を備え、かつ、この基板２が底部を構成する立体額装縁であって、前記展示窓１は透明板４から構成され、この透明板４と緩衝体５と基板２とが上下に順に積層され、かつ、前記緩衝体５はスポンジ材から構成され、この緩衝体５の上面に化粧部６が形成されてなる、立体額装縁。【選択図】      図２0003114081.tif 000003
0003114081.tif 000002
【実用新案登録請求の範囲】
【請求項１】
本体枠３の上方に、この本体枠３に囲まれるように展示窓１が形成されるとともに、
前記本体枠３の下方に基板２を備え、  
かつ、この基板２が底部を構成する立体額装縁であって、
前記展示窓１は透明板４から構成され、
この透明板４と緩衝体５と基板２とが上下に順に積層され、
かつ、前記緩衝体５はスポンジ材から構成されてなる、立体額装縁。
【請求項２】
前記緩衝体５の上面に、化粧部６が形成されてなる、請求項１記載の立体額装縁。
【請求項３】
前記化粧部６は繊維材が植毛されてなる、請求項２記載の立体額装縁。
【請求項４】
前記化粧部６は塗装材が塗布されてなる、請求項２記載の立体額装縁。
【考案の詳細な説明】
【技術分野】
【０００１】
本考案は、奥行きのある物品を収納してこれを展示するための立体額装縁に関する。詳しくは、立体的に厚みがあって奥行きのある物品で、特に貴金属、アクセサリー等の貴重品を豪華に見栄えよく額装し、これを展示、あるいは、室内に飾ったりするために使用する立体額装縁に関する。
【背景技術】
【０００２】
従来、古銭やメダル、貴金属、アクセサリー等の物品を展示したり、室内に飾ったりするために、図４に示すような立体額装縁Ｂが使用されている。これは、図５にも示すように、展示窓１０１から中が見えるように物品１０７を基板１０２上に適宜配置し、この基板１０２とガラス板等の透明板１０４によって物品１０７を挟んで本体枠１０３の内方に収容したものである。ここで、基板１０２に対する物品１０７の固定方法であるが、両面テープ１１０あるいは接着剤等によって、物品１０７の裏面を基板１０２に貼り付け、基板１０２に物品１０７より僅かに大きい平面形状の孔部１１１を形成し、そこへ物品１０７を嵌め込んでいた。また、他に、基板１０２にメダル、貴金属、アクセサリー等の物品を係止する部位を設けるように構成した考案が提案されている（例えば、特許文献１参照）。
【０００３】
また基板１０２の上にビロード等厚手の柔軟な布を重ね、これに奥行きのある物品を沈むように収納することもある。
【０００４】
【特許文献１】実公平１−２７７３９号公報
【考案の開示】
【考案が解決しようとする課題】
【０００５】
以上の通りであって、従来の立体額装縁には、まとめると次のような問題がある。
【０００６】
即ち、従来の立体額装縁の問題点の第一は、両面テープあるいは接着剤等によって、物品を貼り付け、あるいは、物品を孔部に嵌め込んでいた。このため、孔部を設けるための手間を必要とした。また、物品を基板から再び剥がして取り外す際に、両面テープ又は接着剤等の一部が物品の裏面に残留して、物品が汚れる場合があった。
【０００７】
第二に、図６に示すように、従来の立体額では、奥行きのある物品を保持するためのビロードに深い皺１０９が発生するため、額縁としての体裁性を損なうとともに豪華な貴金属の展示効果を損なっている。
【０００８】
そこで、本考案の額縁は、このような従来の抱える問題点を解決するためになされたもので、極めて簡単に、立体的な貴金属、アクセサリー等の物品を豪華に収納するための立体額装縁を提供することを目的としている。
【課題を解決するための手段】
【０００９】
そこで、本考案者等は、物品を収納する部位に皺の発生をなくすために、スポンジ材からなる可撓性の緩衝材を選択し、この上面に化粧部を設けることを着想した。そして、この部位に立体的に厚みがある物品、特に貴金属、アクセサリー等の物品を緩衝材に沈ませて収納することにより、物品を豪華に展示できるという知見を得た。本考案の立体額装縁はかかる知見を基に具現化したものである。
【００１０】
請求項１の考案は、本体枠３の上方に、この本体枠３に囲まれるように展示窓１が形成されるとともに、前記本体枠３の下方に基板２を備え、かつ、この基板２が底部を構成する立体額装縁であって、前記展示窓１は透明板４から構成され、この透明板４と緩衝体５と基板２とが上下に順に積層され、かつ、前記緩衝体５はスポンジ材から構成されてなる、立体額装縁。
【００１１】
また、請求項２の考案は、請求項１の考案の上記特徴に加えて、前記緩衝体５の上面に、化粧部６が形成されたものである。
【００１２】
また、請求項３の考案は、請求項２の考案の上記特徴に加えて、前記化粧部６は繊維材が植毛されたものである。
【００１３】
また、請求項４の考案は、請求項２の考案の上記特徴に加えて、前記化粧部６は塗装材が塗布されたものである。
【考案の効果】
【００１４】
本考案の立体額装縁によれば、緩衝体の上に展示されるべき物品が配置され、展示窓を通して物品が見え、この物品は透明板によって上方から押し付けられるとともに、この背後から緩衝体によってバックアップ保持される。このため、接着剤や両面テープ等を使用することなく物品が固定され、位置ずれを起す心配がない。また、接着剤等の残留によって物品が汚染される心配がない。また、物品はスポンジ材からなる緩衝体によって支持されるので、額縁から脱着する際に物品に無理な力が付加されず、物品の破損等が防止される。
【００１５】
また、緩衝材の上面に化粧部を設けることによって、奥行きのある貴金属、アクセサリー等の物品を豪華に収納することができる。この化粧部が形成されることにより皺が発生せず物品が豪華に演出され、立体額装縁は絵画感覚のインテリアになる。また、柔軟性に富む緩衝体が物品の保持部材として機能するので、物品が緩衝体に押し付けられたときに、周囲の本体枠によって緩衝体がその押し付け方向に対して横方向へ拡がるように変形するのを防止するので、緩衝体と物品との間の接触面圧が上昇し、緩衝体上への物品の固定力が高められる。
【考案を実施するための最良の形態】
【００１６】
本考案の実施の形態を、添付図面に示した本考案の実施例に基づいて以下に具体的に説明する。
【実施例１】
【００１７】
以下、本考案の一実施例を図面に基づいて説明する。図１、２は、本考案に係る立体額装縁Ａを示したもので、底部を構成する基板２の周縁が窓枠状の本体枠３によって囲まれ、この内方に展示窓１が形成される。本体枠３の内方には、上方にガラスあるいはアクリル樹脂等のプラスチック等透明又は半透明の材料で構成される透明板４が配置され、その中側に物品７が収納される。図２に示す断面図から解るように、本体枠３の内方で立体額装縁Ａの厚み方向上方から、透明板４、緩衝体５および基板２が上下に順に積層される。そして、本体枠３は、上方の飾り縁３１と側縁３２から構成され、飾り縁３１は、透明板４の周縁をオーバーハングする。緩衝体５の上面は化粧部６が形成されており、物品７がこの緩衝体５に沈むように保持される。即ち、物品７は上下方向から透明板４と緩衝体５とで挟まれ、半ば包み込まれるように保持される。また、基板２の背面側には複数の押え金具８が回動可能に設けられ、その先端部が基板２の背面側外縁部を係止して、立体額装縁２内の物品７の脱落を防止している。
【００１８】
ここで、物品７は深さのある絵皿で、立体的な奥行きのあるものである。緩衝体５の厚みは、物品の奥行き厚み寸法より大きいことが好ましい。
【００１９】
緩衝体５は本体枠３の内方に納められ、この本体枠３は、基板２とともに有底の箱体を形成しており、その内側は緩衝体５が丁度嵌まる程度の寸法を有する。本体枠３上面の飾り縁３１には、額装される物品７の目的に応じて飾りが施される。
【００２０】
ここで、「緩衝体」とは、立体額装縁の底部を構成する基板の上に重ね、物品を収納、保持する部位である。この材質としては、柔軟性を備える軟質の材料が好ましい。具体的には、天然の海綿、ゴム材質、ウレタン、あるいは、プラスチック材質等があり、可撓性を備える海綿質のウレタンスポンジ材あるいは低発泡材が好ましい。ゴム質材としては、天然ゴムの他、合成ゴムクロロプレン、ブタジエン、ブチル、フッ素、シリコン、アクリル、ニトリル等がある。ウレタン質材としては、エーテル、エステル等がある。また、プラスチック質材としては、アクリル、塩ビ、ポリカーボネート、ポリプロピレン、ポリエチレン、ＡＢＳ、ナイロン等がある。
【００２１】
また、「緩衝体」として、毛糸玉や金属製のたわしのように、細繊維が立体的に絡んだ略球状の塊でもよい。また、図３に示すデッキブラシのようなもので、短くて柔らかい繊維が立体的に剣山の針のように立ち上がった塊でもよい。また、綿のようにふわふわした塊を形成し、柔軟性を備えるようにしたものでもよい。これ等を、本体枠内の四隅まで万遍なく詰め込むことにより全体が変形容易で可撓性を示し、緩衝体として必要な機能、形態が自由に得られる。
【００２２】
そして、緩衝体５の上面に化粧部６を形成する方法として、一つの方法は、緩衝体５の上面に繊維材を植毛する。繊維材としては天然繊維、合成繊維あるいは他のフッ素、炭素、ガラス繊維等の無機材等がある。先ず、天然繊維としては、綿、絹、羊毛がよい。合成繊維は、ポリアミド系、ポリエステル系、ポリビニールアルコール系、ポリエチレン系、ポリプロピレン系、ポリ塩化ビニール系、アクリル系等多種類がある。これ等の繊維からなるモノフィラメント、マルチフィラメント、ステープル等が短く切断されたものが使用される。特に、木綿や羊毛のような綿状の短い繊維のステープルは、植毛材として適している。
【００２３】
緩衝体５の上面に、植毛する方法として静電方法がある。これは、予め、緩衝体５に接着剤を塗布して、繊維を静電気の力でその上に突き刺して植毛を行なう。また、ステープルのような短い繊維を、接着剤を塗布した緩衝体５に吹き付け、焼付けによって形成されるものでもよい。
【００２４】
他に、この化粧部６を形成する方法として、緩衝体５の上面に塗装材が塗布されたものでもよい。塗装材は、油性顔料着色剤でラッカーを吹き付けたものである。ラッカーとしては、例えば、トルエン３０〜４０％、イソプチンアルコール５〜１０％、サクサンイソプチン１０〜２０％、残りその他を混合したものである。スポンジ材からなる緩衝体５の上面にこの塗装材が吹き付けられるので、塗装材は緩衝体５の上面で不連続状に点在する。また、塗装材は、水性顔料着色剤でもよく、特に、トルエン、キシレン、その他鉛を含有せず低臭のものが好ましい。
【００２５】
以上のように構成され、次に作用について説明する。
【００２６】
額装される物品７は、厚みがあって奥行きのあるものである。従って、緩衝体５の上に物品７を置き、上から押し付けるようにして緩衝体５に沈めて保持する。その際、緩衝体５の上面に沈められた物品の周囲には放射状に複数本の皺が発生し易い。このことが見た目に、額装された物品の豪華さを損なう。そのために、緩衝体５の上面に化粧部６を形成することによって、物品７の周囲には皺が発生しなくなる。そして、緩衝体５のクッション性によって、厚手の緩衝体５の中に沈めるようにして側方向から物品７が保持される。即ち、物品７は、緩衝体５によって上方からは透明板４によって押し付けられ、背後および側方からは柔軟な弾性力を受けながら包まれた状態で保持される。このように、緩衝体５を柔軟性に富む保持部材として機能させることによって、物品７が緩衝体５に押し付けられたときに、周囲の本体枠３によって緩衝体５がその押し付け方向に対して横方向へ拡がるように変形することを防止する。このようにして、緩衝体５と物品７との間の接触面圧が上昇するので物品７を固定する力が高められる。
【００２７】
緩衝体５としては、上記の可撓性を備える海綿質のスポンジ材の他、金属製のたわしのようにフィラメントが絡み合ったものでもよい。これは、繊維が立体的に絡み合ったもので、繊維同士がしっかりと、しかも柔軟に結びついているので、弾力性に富む。また、図３に示すようにクッション性があればデッキブラシのように多数の短繊維が絡まるように形成されるものでもよい。
【００２８】
また、毛糸玉のように繊維が略球状に立体的に絡み合うものでもよく、額装される物品の形状、色合いに合わせて配色を自由に選ぶことがでる。そして、クッション性の豊かな毛糸が絡み合い、この中に物品が半ば沈めて保持される。その他、綿のようにふわふわした、柔軟性を備える塊状のものでもよい。
【００２９】
化粧部６とは、展示窓１から見える緩衝体５の表面を装飾して額装を豪華に見栄よくするものである。化粧部６としては、植毛あるいは塗装による方法により形成され、植毛による場合は、ステープルのような短い繊維を、接着剤を塗布したスポンジ材からなる緩衝体５に吹き付け、焼付けによって形成される。そして、物品７を緩衝体５に押し込んでもこの周囲に皺が発生することなく、布の感覚が表面に残って額装が豪華に映え、見栄えが良い。
【００３０】
塗装による場合は、緩衝体５の上面に塗装材が吹き付けられるので、塗装材はスポンジ材からなる緩衝体５の上面で不連続状に点在する。従って、物品７を押し込んでもこの周囲に皺が発生することなく、見栄えが良い。緩衝体５のスポンジの目を細かくしたものを選択することにより、一層額装が豪華に映え見栄えが良くなる。植毛の場合のように剥離することがなく、化粧部材として色褪せることなく長持ちする。そして、額縁の目的に応じて各種の色を選択することができる。本実施例では、グリーン色と紺色の塗装を施したが、スポンジ材の劣化が抑制される。ここで、グリーン色は白色９５％とグリーン色５％を混合したもの、紺色はブルー１００％のものである。
【００３１】
以上説明したように、物品７は緩衝体５の上面に形成された化粧部６の上に位置して、上からは透明板４によって押し付けられ、背後および側方からは緩衝体５の弾性力によってバックアップされる。このように、物品７は、糊、接着剤及び両面テープ等を用いずに緩衝体５によって保持されるので、額縁から物品７を脱着する際に、物品７に対し無理な力が付加されずその破損等が防止され、また接着剤等が残留することもない。
【００３２】
次に、立体的に奥行きのある物品が緩衝体５の中に皺を発生することなく保持されるので、物品のアート的価値が高められる。また、物品の厚さより大きい緩衝体５の中に保持されるので額縁に対する外部からの衝撃から物品を守ることができる。
【産業上の利用可能性】
【００３３】
本考案の立体額装縁において、展示される物品及び展示領域は、アクセサリー、貴金属、アート作品等に限られるものではなく、展示のテーマによって自由に選択することができる。その一例として、自分が残しておきたい物を飾りながら保管する。そのための、思い出のタイムカプセルとして利用できる。即ち、大切な思い入れのある自分だけの物、例えば、子供時代の靴、楽器、学校の宿題に作成した工作物、幼い時に組み立てたプラモデル等を緩衝体の中に豪華に保持し、展示することができる。簡単に、素的な素敵なインテリアへと展開することができる。
【図面の簡単な説明】
【００３４】
【図１】本考案の立体額装縁の実施例を示すもので、表面側から見た平面図である。
【図２】同上、横断面図である。
【図３】同上、緩衝体の他の実施例を示すものである。
【図４】従来例を示すもので、表面側から見た斜視図である。
【図５】同上、横断面図である。
【図６】同上、平面図である。
【符号の説明】
【００３５】
Ａ  立体額装縁
Ｂ  立体額装縁
１  展示窓
１０１  展示窓
２  基板
１０２  基板
３  本体枠
３１  飾り縁
３２  側縁
１０３  本体枠
４  透明板
１０４  透明板
５  緩衝体
１０５  緩衝体
６  化粧部
７  物品
１０７  物品
８  押え金具
１０８  押え金具
１０９  皺
１１０  両面テープ
１１１  孔部
【図１】
0003114081.tif 000004
【図２】
0003114081.tif 000005
【図３】
0003114081.tif 000006
【図４】
0003114081.tif 000007
【図５】
0003114081.tif 000008
【図６】
0003114081.tif 000009